(57)【要約】【課題】電子機器のＳＳＤのメモリ領域において消去する領域として予め確保しておく必要も無く、領域を効率良く使え無駄な領域を発生させない。【解決手段】メモリに格納されたデータを消去するときに、当該データを管理情報とともに消去する完全消去処理と、データの管理情報を消去する通常消去処理とを実行するＳＳＤコントローラを備えたＳＳＤと、ＳＳＤを制御する制御手段とを備えた電子機器において、制御手段は、メモリに格納されたデータを完全消去処理により消去するか否かを判断し、完全消去処理により消去するときは、完全消去対象情報をデータに追加し、ＳＳＤコントローラはデータに完全消去対象情報が追加されているか否かに基づいて、完全消去処理によりデータを消去するか否かを判断し、完全消去処理により消去するときはデータを管理情報とともに消去し、通常消去処理により消去するときはデータの管理情報を消去する。【選択図】図４
2017126320.tif 000002
【特許請求の範囲】
【請求項１】
メモリに格納されたデータを消去するときに、当該データを管理情報とともに消去する完全消去処理と、当該データの管理情報を消去する通常消去処理とを実行するＳＳＤコントローラを備えたＳＳＤ（Ｓｏｌｉｄ  Ｓｔａｔｅ  Ｄｒｉｖｅ）と、
前記ＳＳＤを制御する制御手段とを備えた電子機器であって、
前記制御手段は、前記メモリに格納されたデータを前記完全消去処理により消去するか否かを判断し、前記完全消去処理によりデータを消去するときは、完全消去対象情報をデータに追加し、
前記ＳＳＤコントローラは、前記制御手段からのデータに前記完全消去対象情報が追加されているか否かに基づいて、前記完全消去処理によりデータを消去するか否かを判断し、前記完全消去処理によりデータを消去するときは、データを前記管理情報とともに消去する一方、前記完全消去処理ではなく前記通常消去処理によりデータを消去するときは、前記通常消去処理によりデータの管理情報を消去するように制御することを特徴とする電子機器。
【請求項２】
前記制御手段は、前記ＳＳＤに対する書き込み限度回数を超えているときに、データに前記完全消去対象情報が追加しないことを特徴とする請求項１記載の電子機器。
【請求項３】
前記ＳＳＤコントローラは、前記完全消去処理を実行するときに、即時にデータを管理情報とともに消去することを特徴とする請求項１又は２記載の電子機器。
【請求項４】
前記ＳＳＤコントローラは、前記完全消去処理を実行するときに、所定のしきい値以上のデータ量のデータをまとめて前記管理情報とともに消去することを特徴とする請求項１又は２記載の電子機器。
【請求項５】
メモリに格納されたデータを消去するときに、当該データを管理情報とともに消去する完全消去処理と、当該データの管理情報を消去する通常消去処理とを実行するＳＳＤコントローラを備えたＳＳＤと、
前記ＳＳＤを制御する制御手段とを備えた電子機器の制御方法であって、
前記制御手段が、前記メモリに格納されたデータを完全消去処理により消去するか否かを判断し、完全消去処理によりデータを消去するときは、完全消去対象情報をデータに追加するステップと、
前記ＳＳＤコントローラが、前記制御手段からのデータに前記完全消去対象情報が追加されているか否かに基づいて、完全消去処理によりデータを消去するか否かを判断し、完全消去処理によりデータを消去するときは、データを管理情報とともに消去する一方、完全消去処理ではなく前記通常消去処理によりデータを消去するときは、前記通常消去処理によりデータの管理情報を消去するように制御するステップとを含むことを特徴とする電子機器の制御方法。
【請求項６】
前記制御手段が、前記ＳＳＤに対する書き込み限度回数を超えているときに、データに前記完全消去対象情報が追加しないステップを含むことを特徴とする請求項５記載の電子機器の制御方法。
【請求項７】
前記ＳＳＤコントローラが、前記完全消去処理を実行するときに、即時にデータを管理情報とともに消去することを特徴とする請求項５又は６記載の電子機器の制御方法。
【請求項８】
前記ＳＳＤコントローラが、前記完全消去処理を実行するときに、所定のしきい値以上のデータ量のデータをまとめて前記管理情報とともに消去するステップを含むことを特徴とする請求項５又は６記載の電子機器の制御方法。
【発明の詳細な説明】
【技術分野】
【０００１】
本発明は、例えば複合機（以下、ＭＦＰ（Ｍｕｌｔｉ−Ｆｕｎｃｔｉｏｎ  Ｐｅｒｉｐｈｅｒａｌ）という。）などの電子機器とその制御方法に関する。
【背景技術】
【０００２】
ＭＦＰなどの大型な組み込み機器において、大量のデータを保持する手段としてハードディスクドライブ（以下、ＨＤＤ（Ｈａｒｄ  Ｄｉｓｋ  Ｄｒｉｖｅ）という。）が用いられている。ＨＤＤは様々なデータを保持しているが、データの漏洩に係るデータの場合に、データを使用後に完全消去する必要があった。ＨＤＤのデータは他のデータで上書き処理することにより、完全消去する技術が一般的である。
【０００３】
近年、ＨＤＤの単価下落トレンドが鈍化する一方、例えばフラッシュメモリ（登録商標）等の不揮発性メモリを備えたソリッドステートドライブ（以下、ＳＤＤ（Ｓｏｌｉｄ  Ｓｔａｔｅ  Ｄｒｉｖｅ）という。）の単価が下落しており、値段が逆転することが推測できる。ＳＤＤの場合、ＨＤＤと同様の方式（他のデータで上書き処理する方式）では、ＳＳＤ内のデータを完全消去することはできない。ＳＳＤのデータを完全消去する「Ｓｅｃｕｒｅ  Ｅｒａｓｅコマンド」又は「Ｔｒｉｍコマンド」を使用することが既に知られている。
【発明の概要】
【発明が解決しようとする課題】
【０００４】
しかし、今までの「Ｓｅｃｕｒｅ  Ｅｒａｓｅコマンド」又は「Ｔｒｉｍコマンド」の使用では、通常すべてのデータに対して完全消去してしまう。完全消去した場合に、少なからず性能に影響が出るため、完全消去する必要の無いデータに対しても完全消去すると、必要の無い性能低下に繋がるという問題があった。
【０００５】
また、完全消去するデータをまとめて所定の領域（例えばパーティション）に格納して、その領域のみを完全消去する方法があるが、予め消去する領域と消去しない領域を確保する必要がある。そのため、領域を効率良く使えず、無駄な領域が発生する問題があった。
【０００６】
本発明の目的は以上の問題点を解決し、ＳＳＤを備えた電子機器において、ＳＳＤのメモリ領域において消去する領域として予め確保しておく必要も無く、領域を効率良く使え無駄な領域を発生させない電子機器を提供することにある。
【課題を解決するための手段】
【０００７】
本発明に係る電子機器は、
メモリに格納されたデータを消去するときに、当該データを管理情報とともに消去する完全消去処理と、当該データの管理情報を消去する通常消去処理とを実行するＳＳＤコントローラを備えたＳＳＤと、
上記ＳＳＤを制御する制御手段とを備えた電子機器であって、
上記制御手段は、メモリに格納されたデータを完全消去処理により消去するか否かを判断し、完全消去処理によりデータを消去するときは、完全消去対象情報をデータに追加し、
上記ＳＳＤコントローラは、上記制御手段からのデータに完全消去対象情報が追加されているか否かに基づいて、完全消去処理によりデータを消去するか否かを判断し、完全消去処理によりデータを消去するときは、データを管理情報とともに消去する一方、完全消去処理ではなく通常消去処理によりデータを消去するときは、通常消去処理によりデータの管理情報を消去するように制御することを特徴とする。
【発明の効果】
【０００８】
本発明に係る電子機器によれば、ＳＳＤのメモリ領域において消去する領域として予め確保しておく必要も無く、領域を効率良く使え無駄な領域を発生させない。
【図面の簡単な説明】
【０００９】
【図１】本発明の一実施形態にかかるＭＦＰ１のハードウェア構成を示すブロック図である。
【図２】図１のＭＦＰ１のＣＰＵ１１及びＳＳＤコントローラ１４Ａの機能構成を示すブロック図である。
【図３】図１及び図２のＣＰＵ１１によって実行されるデータ書き込み処理を示すフローチャートである。
【図４】図１及び図２のＳＳＤコントローラ１４Ａによって実行されるデータ消去処理を示すフローチャートである。
【図５】図３のステップＳ４においてデータ６２に追加される「完全消去対象情報」６１のフォーマットを示すフォーマット図である。
【発明を実施するための形態】
【００１０】
以下、本発明に係る実施形態について図面を参照して説明する。なお、以下の各実施形態において、同様の構成要素については同一の符号を付している。
【００１１】
図１は本発明の一実施形態にかかるＭＦＰ１のハードウェア構成を示すブロック図である。図１において、ＭＦＰ１は電子機器の一例であって、本体１０と、操作部２０とを備えて構成される。ここで、本体１０は、ＣＰＵ１１と、ＲＯＭ１２と、ＲＡＭ１３と、ＳＳＤ１４と、接続インターフェース１６と、エンジン部１７とを備え、これらの構成要素１１〜１７はバス１８を介して互いに接続される。ＳＳＤ１４は、ＳＳＤコントローラ１４Ａと、フラッシュメモリ１４Ｂとを備えて構成される。操作部２０は、タッチパネル表示部２１と、キースイッチ２２とを備えて構成される。
【００１２】
本発明に係る実施形態は、ＳＳＤ１４のデータを完全消去する処理に際して、以下の特徴を有する。本実施形態において、ＳＳＤ１４のデータを完全消去する際に、完全消去するデータであるか否かを判定する。完全消去するデータの場合は完全消去するが、完全消去するデータでない場合は通常消去処理（通常、フラッシュメモリ１４Ｂのメモリ媒体上のデータ本体は消去せずに、ファイルシステムが指し示すデータの格納先（管理情報）を削除する）を行う。要するに、データ毎に完全消去するか否かを設定するため、消去領域として予め確保しておく必要も無く、領域を効率良く使え無駄な領域を発生させないことが特徴になっている。
【００１３】
図１において、ＭＦＰ１は、コピー機能、スキャナ機能、ファクス機能、プリンタ機能などの各種の機能を実現可能な本体１０と、ユーザの操作を受け付ける操作部２０とを備える。本体１０と操作部２０は、専用の通信路５０を介して相互に通信可能に接続されている。通信路５０は、例えばＵＳＢ（Ｕｎｉｖｅｒｓａｌ  Ｓｅｒｉａｌ  Ｂｕｓ）規格のものを用いることもできるが、有線か無線かを問わず任意の規格のものであってよい。
【００１４】
本体１０は、操作部２０で受け付けた操作に応じた動作を行う。また、本体１０は、クライアントＰＣ（パーソナルコンピュータ）等の外部装置とも通信可能であり、外部装置から受信した指示に応じた動作を行うこともできる。
【００１５】
ＣＰＵ１１は、本体１０の動作を統括的に制御する制御手段（コントローラ）である。ＣＰＵ１１は、ＲＡＭ１３をワークエリア（作業領域）としてＲＯＭ１２又はＳＳＤ１４等に格納されたプログラムを実行することで、本体１０全体の動作を制御し、上述したコピー機能、スキャナ機能、ファクス機能、プリンタ機能などの各種機能を実現する。接続インターフェース１６は、通信路５０を介して操作部２０と通信するためのインターフェースである。
【００１６】
ＳＳＤ１４のＳＳＤコントローラ１４Ａはフラッシュメモリ１４Ｂの制御手段であって、ＣＰＵ１１からの制御指示信号及びデータを受信してフラッシュメモリ１４Ｂに対して以下の処理を実行する。なお、フラッシュメモリ１４Ｂは、データを書き込む領域と、その書き込むアドレスを管理する管理情報を格納する領域とを含み、これらの書き込み又は消去はＳＳＤコントローラ１４Ａによって行われる。
（１）情報追加処理：フラッシュメモリ１４Ｂに対して、受信したデータに関する管理情報を追加するように格納する。
（２）データ書き込み処理：受信したデータをフラッシュメモリ１４Ｂに対して格納する。
（３）完全消去処理：フラッシュメモリ１４Ｂのメモリ媒体上のデータ本体を消去するとともに、ファイルシステムが指し示すデータの格納先（管理情報）も削除する。
（４）通常消去処理：通常、フラッシュメモリのメモリ媒体上のデータ本体を消去せずに、ファイルシステムが指し示すデータの格納先（管理情報）を削除する。
【００１７】
また、ＣＰＵ１１はＳＳＤコントローラ１４Ａに対して、フラッシュメモリ１４Ｂのデータの完全消去について以下の２つの完全消去モードを設定する。
（１）即時完全消去モード：データに「完全消去対象情報」６１が追加されているときは即時に、データに対して完全消去処理を実行する。
（２）一括完全消去モード：データに「完全消去対象情報」６１が追加されている場合に、完全消去すべきデータ蓄積量ＡＤがしきい値ＡＤｔｈを超えれば完全消去処理を実行する（図４のステップＳ１７，Ｓ１４，Ｓ１５）。それまでは、完全消去すべきデータ量（蓄積量）ＡＤを計算し、完全消去すべきデータの管理情報を蓄積する（図４のステップＳ１８）。
【００１８】
エンジン部１７は、コピー機能、スキャナ機能、ファクス機能、および、プリンタ機能を実現させるための、汎用的な情報処理及び通信以外の処理を行うハードウェアである。エンジン部１７は、例えば、原稿の画像をスキャンして読み取るスキャナ（画像読取部）、用紙等のシート材への印刷を行うプロッタ（画像形成部）、ファクス通信を行うファクス部などを備えている。エンジン部１７はさらに、印刷済みシート材を仕分けるフィニッシャと、原稿を自動給送するＡＤＦ（自動原稿給送装置）のような特定のオプションとを備えることもできる。
【００１９】
図２は図１のＭＦＰ１のＣＰＵ１１及びＳＳＤコントローラ１４Ａの機能構成を示すブロック図である。図２において、ＣＰＵ１１は、判断部３１と、情報追加部３２と、書き込み部３３とを備えて構成される。また、ＳＳＤコントローラ１４Ａは、判断部４１と、完全消去部４２と、通常消去部４３と、モード判断部４４と、限度回数判断部４５と、一括消去判断部４６とを備えて構成される。
【００２０】
図２のＣＰＵ１１において、判断部３１は、データが完全消去対象データであるか否かを判断する（図３のＳ３）。情報追加部３２は、データ６２が完全消去対象データの場合に、データ６２に完全消去対象情報６１を追加する（図３のＳ４、図５）。書き込み部３３は、ＳＳＤコントローラ１４Ａに対してデータ書き込みを指示する（図３のＳ５）。  
【００２１】
図２のＳＳＤコントローラ１４Ａにおいて、判断部４１は、データが完全消去対象データか否かを判断する（図４のＳ１２）。完全消去部４２は、データが完全消去対象データの場合に、データの完全消去を実行する（図４のＳ１５）。通常消去部４３は、データが完全消去対象データでなかった場合に、データの通常消去モードの処理を実行する（図４のＳ１９）。モード判断部４４はフラッシュメモリ１４Ｂに記憶された設定情報を基に消去モードを決定する（図４のＳ１１Ａ、Ｓ１３）。限度回数判断部４５はフラッシュメモリ１４Ｂに記憶された情報を基に限度回数を超えているか否かを判断する（図３のＳ２）。一括消去判断部４６は「一括完全消去モード」が設定されていると判断する。そして、完全消去すべきデータ蓄積量ＡＤに対して今回において完全消去すべきデータのデータ量ＡＭＤを加算して、その加算結果を完全消去すべきデータ蓄積量ＡＤとする。また、一括消去判断部４６は、完全消去すべきデータ蓄積量ＡＤが所定のしきい値ＡＤｔｈ（例えば、１ＧＢなど）以上であるか否かを判断する（図４のＳ１６，Ｓ１７）。
【００２２】
図３は図１及び図２のＣＰＵ１１によって実行されるデータ書き込み処理を示すフローチャートである。
【００２３】
図３のステップＳ１において、ユーザは操作部２０を用いてデータの書き込みを指示するが、ＣＰＵ１１は当該指示されたか否かを判断し、ＹＥＳのときはステップＳ２に進む一方、ＮＯのときはステップＳ１に戻る。次いで、ステップＳ２において、ＣＰＵ１１は、ＳＳＤ１４がその書き込み限度回数（公知の通り、フラッシュメモリ１４Ｂが寿命となり、データ書き込みができなくなる回数をいう。）を超えていないかを判断する。ここで、ＹＥＳのときはステップＳ３に進む一方、ＮＯのときはステップＳ５に進む。当該ステップＳ２の処理において、ＣＰＵ１１は、ＳＳＤコントローラ１４Ａに対して、当該ＳＳＤ１４の書き込み限度回数を超えていないか否かを問い合わせる。フラッシュメモリ１４Ｂには、書き込み限度回数と、今までの累積書き込み回数が記憶されている。そのため、ＳＳＤコントローラ１４ＡはＣＰＵ１１から書き込み限度回数を超えていないか否かの問い合わせ時に書き込み限度回数と累積書き込み回数に基づいてＳＳＤ１４の書き込み限度回数を超えているか否かを判断し、ＣＰＵ１１に対して通知する。これによって、ＣＰＵ１１は、書き込み限度回数を超えていないかを判断することができる。
【００２４】
ステップＳ３において、ＣＰＵ１１はデータが完全消去対象データか否かを判断し、ＹＥＳのときはステップＳ４に進む一方、ＮＯのときはステップＳ５に進む。当該ステップＳ３の処理において、ＣＰＵ１１は、書き込みデータの重要度及び／又は属性によって、完全消去対象データであるか否かを判断する。書き込みデータには、完全消去対象データであることを示すフラグ、および、当該データの重要度を示す重要度情報、当該データの属性を示す属性情報が付与されている。ＣＰＵ１１は当該情報を読み取ることで、完全に消去するか否かを判断する。ここで、完全消去対象データとは、漏洩を防ぐ必要のあるデータであり、例えば、顧客情報などの重要度が高いデータである。
【００２５】
ステップＳ４では、ＣＰＵ１１は、データが完全消去対象データであれば、図５のフォーマット図に示すように、データ６２に「完全消去対象情報」６１を追加してＳＳＤコントローラ１４Ａに送信する。ステップＳ５において、ＣＰＵ１１はＳＳＤコントローラ１４Ａに対してデータ書き込みを指示して当該データ書き込み処理を終了する。
【００２６】
図４は図１及び図２のＳＳＤコントローラ１４Ａによって実行されるデータ消去処理を示すフローチャートである。
【００２７】
図４のステップＳ１１において、ＣＰＵ１１からＳＳＤコントローラ１４Ａに対して、データ消去が指示されたか否かが判断され、ＹＥＳのときはステップＳ１１Ａに進む一方、ＮＯのときはステップＳ１１に戻る。当該ステップＳ１１の処理において、ＣＰＵ１１は、データの消去をユーザから操作部２０から指示された場合に、ＳＳＤコントローラ１４Ａに対してデータ消去を指示する。また、ＣＰＵ１１は、フラッシュメモリ１４Ｂの容量が所定量を超えた場合、もしくは、所定時間が経過した場合などに、データ消去を行ってもよい。
【００２８】
次いで、ステップＳ１１Ａにおいて、通常消去モードであるか否か判断され、ＹＥＳのときはステップＳ１９に進む一方、ＮＯのときはステップＳ１２に進む。前記ステップＳ１１Ａでは、ＳＳＤコントローラ１４Ａは、フラッシュメモリ１４Ｂに記憶された設定情報を読み出すことで、消去モードが通常消去モードであるか否かを判断する。なお、消去モードの判断はＣＰＵ１１が行ってもよい。この場合、前記設定情報はＲＡＭ１３及び／又はＲＯＭ１２に記憶され、ＣＰＵ１１は、どの消去モードに設定されているかを判断する。なお、ユーザは、予め操作部２０を操作することで、設定情報として消去モードを設定することができる。これによって、データを完全に消去するか否かを判断する。
【００２９】
さらに、ステップＳ１２において、ＳＳＤコントローラ１４Ａは、データ６２に「完全消去対象情報」６１が追加されているか否かを判断し、ＹＥＳのときはステップＳ１３に進む一方、ＮＯのときはステップＳ１４に進む。
【００３０】
ステップＳ１３において、ＳＤＤコントローラ１４Ａは、ステップＳ１１Ａにおいて消去モードの判断を行った結果、「即時完全消去モード」が設定されているか否かを判断し、ＹＥＳのときはステップＳ１４に進む一方、ＮＯのときはステップＳ１６に進む。ステップＳ１４において、完全消去すべきデータ蓄積量ＡＤを０にリセットする。次いで、ステップＳ１５において、完全消去すべきデータの管理情報である「完全消去対象情報」６１に基づいて、フラッシュメモリ１４Ｂに格納された所定のデータを完全消去することにより、即時完全消去モードの処理を行う。すなわち、ＳＳＤコントローラ１４Ａは、フラッシュメモリ１４Ｂのメモリ媒体上のデータ本体を消去するとともに、ファイルシステムが指し示すデータの格納先（管理情報）も削除する。そして、当該データ消去処理を終了する。
【００３１】
ステップＳ１６では、「一括完全消去モード」が設定されていると判断し、完全消去すべきデータ蓄積量ＡＤに対して今回において完全消去すべきデータのデータ量ＡＭＤを加算して、その加算結果を完全消去すべきデータ蓄積量ＡＤとする。次いで、ステップＳ１７において完全消去すべきデータ蓄積量ＡＤが所定のしきい値ＡＤｔｈ（例えば、１ＧＢなど）以上であるか否かが判断され、ＹＥＳのときはステップＳ１４及びＳ１５に進みデータを完全消去する一方、ＮＯのときはステップＳ１８に進む。ステップＳ１８では、完全消去すべきデータの管理情報である「完全消去対象情報」６１を蓄積して当該データ消去処理を終了する。
【００３２】
ステップＳ１９においては、ＳＳＤコントローラ１４Ａは、データ６２に「完全消去対象情報」６１が追加されておらず完全消去すべきデータでないと判断する。そして、消去すべきデータの管理情報を消去することにより、通常消去モードの処理を行い、当該データ消去処理を終了する。
【００３３】
以上説明したように、実施形態に係るＭＦＰ１によれば、ＳＳＤ１４のデータを完全消去する際に、完全消去するデータであるか否かを判定する。完全消去するデータの場合は完全消去するが、完全消去するデータでない場合は通常消去処理を実行することで、フラッシュメモリ１４Ｂの寿命の延伸化とシステムパフォーマンス低下を抑制する。また、データ毎に完全消去するか否かを設定するため、消去する領域として予め確保しておく必要も無く、領域を効率良く使え無駄な領域を発生させないという特有の効果を奏する。
【００３４】
さらに、一括完全消去モードを設定することで、所定のしきい値ＡＤｔｈ以上のデータ量のデータをまとめて一括して完全消去することができる。
【００３５】
変形例．
以上の実施形態においては、ＭＦＰ１のＳＳＤ１４のデータの書き込み処理及びデータ消去処理について説明している。しかし、本発明はこれに限らず、パーソナルコンピュータ、タブレット端末、携帯電話機、スマートホンなどの電子機器のＳＳＤにもデータの書き込み処理及びデータ消去処理に適用することができる。
【００３６】
特許文献１との相違点．
特許文献１には、セキュリティを高める目的で、消去対象となるパーティション番号を指定した消去コマンドを発行し、デバイスのパーティションマップを参照して、消去対象パーティションの全データを完全消去する方法が開示されている。しかしながら、本発明とは確かにＳＳＤのデータを完全消去する点では似ている点があるが、特許文献１では、予め領域を確保するため、領域を効率良く使えず無駄な領域が発生するという問題は解消できていない。これに対して、本発明では、データ毎に完全消去するか否かを設定するため、消去領域として予め確保しておく必要も無く、領域を効率良く使え無駄な領域を発生させない。
【符号の説明】
【００３７】
１０…本体、
１１…ＣＰＵ、
１２…ＲＯＭ、
１３…ＲＡＭ、
１４…ＳＳＤ、
１４Ａ…ＳＳＤコントローラ、
１４Ｂ…フラッシュメモリ、
１６…接続インターフェース、
１７…エンジン部、
１８…バス、
２０…操作部、
２１…タッチパネル表示部、
２２…キースイッチ、
３１…判断部、
３２…情報追加部、
３３…データ書き込み部、
４１…判断部、
４２…完全消去部、
４３…通常消去部、
４４…モード判断部、
４５…限度回数判断部、
４６…一括消去判断部、
６１…完全消去対象情報、
６２…データ。
【先行技術文献】
【特許文献】
【００３８】
【特許文献１】特開２０１０−１７６３９８号公報
【図１】
2017126320.tif 000003
【図２】
2017126320.tif 000004
【図３】
2017126320.tif 000005
【図４】
2017126320.tif 000006
【図５】
2017126320.tif 000007